(57)【要約】      （修正有）【課題】少量の公転に要する一定のエネルギーで自転を増加させ、自転の回転を利用し効率の良い電力を取り出すことを目的とするものである。【解決手段】両端のリング上に角度をもった溝を円型に設け軸を取り付ける、その軸にはフライホイルを取り付け、そのフライホイルに速力をつけ回転させる。やがて、溝の中を回転軸は、転がり運動、点摩擦、こまの原理で、速力を増し高速回転となる。フライホイルと軸に発電をする器具を取り付け、電力を取り出すことができる。【選択図】図１
0003100942.tif 000002
【実用新案登録請求の範囲】
【請求項１】
両端に公転用の軸受を設け、自転用のフライホイル軸を組み込み、公転により自転させた回転球に発電に要するダイナモを取り付けたもの。
【請求項２】
公転用枠組み内に自転用フライホイルを組み込み、公転により自転運動させ、回転球に発電を要するダイナモを取り付けたもの。
【考案の詳細な説明】
【０００１】
【考案の属する技術分野】
公転をするフライホイルの回転運動により自転運動を加速させる。公転は一定速度で回転させるが、自転ははるかに速い回転運動を行う、さらに増速することを利用し、電力を取り出す方法を考案した。
【０００２】
【従来の技術】
今までの知識の中で従来の技術及び物理的な発見することを出来なかった。
【０００３】
【考案が解決しようとする課題】
少量の公転に要する一定のエネルギーで自転を増加させ、自転の回転を利用し、効率の良い電力を取り出すことを目的とする。
【０００４】
【課題を解決するための手段】
公転用の枠組み（八角形又は、円型）の中に自転用の軸を４５度の角度に取り付ける、その軸にはフライホイルを取り付け、そのフライホイルの公転運動により、自転させ速力をつけ、回転を増速させ、高速回転となる。又は、余分な遠心力を少なくするためには、フライホイルを２分割し、逆回転の方法をとると公転に要するエネルギーが少量で済む発見もした。このことを応用し、フライホイルと軸に発電をする器具を取り付け、電力を取り出すことが出来る。公転をしている限りにおいて自転は、増速するが電力を取り出すことにより、負荷がかかり、減速は多少それに応じてする、しかしながら公転力が入力エネルギーとなって、プラス、マイナスの位置を保つ。もちろん公転にエネルギーが必要なのは言うまでもないが、効率の良いエネルギーを取り出したいと考案したものである。
【０００５】
【考案の実施の形態】
まず図面によって説明する。
まず図１について説明すると、図１は、左右の側面図と正面部の断面を現している。図１の１外枠公転用軸受板（左右）に２は公転用に要する軸受け穴である。正面断面図の１は、公転に要する軸受板で２は公転に要する軸が入った状態を示す軸である。３は、公転用枠組み公転した時に、常に４５度を保つ要に取り付けてある。
図２は、図１の左右側面を組立て、その中に外枠公転用軸等を取り付けた状態である。それを図によって説明すると、図２の１は外枠となり、図２の４は公転に要する軸が穴に入っている。図２の７は公転用プーリで回転させると図２の９のフライホイルは自転を始める。それは、やがて高速回転となる。その比率は一例ではあるが１分間２００回転の時、自転は約１万回転以上となり、増速をして行く可能性がある。回転の頃合をみて、ダイナモに仕組んだストッパーにより発電を開始する。図２の５は、公転用枠組みで自転用軸等を組み込んでいる。図２の８は、発電用ダイナモで自転用フライホイルが回転することにより発電する。図２の６は自転軸でフライホイルを自転させる重要な軸になっている。図２の９は、自転用フライホイルで自転の際に、回転をスムーズにする役目をさせている。図２の１０は、公転用モーターで発電能力によっては、モーターの出力もこと成る。図２の１１はバッテリーで公転用に必要なモーターを回すエネルギーで、１２Ｖ又は、２４Ｖ等で発電能力によって変わる。図２の１２の出力コードにより電気を取り出し、外部へ流れる仕組みであるが、公転と自転の力加減により、その抵抗をクリアしなければ成り立たないことは、言うまでもなく、公転の回転により自転させると言う発想の中心分岐点を設け発電をさせようとするものである。以上、簡単な図の説明をした。
【０００６】
【実施例】
まず、初めに図２の１１のバッテリーより図２の１０のモーターへと入力電流が流れ、図２の７の公転プーリを回転させると図２の５の公転用枠組みも同時に回転する。図２の９のフライホイルは自転回転を始める公転が一定速度で回転をすることで自転の回転速度が増速をするのである、それは自転用フライホイルの遠心力も加わり公転回転を続けることにより増速をして行くことになる。図２の８は、発電用のダイナモで自転回転が発電速度に上がった頃合を見て、ダイナモに仕組んだストッパーにより発電用の負荷がかかり、発電開始が始まる。図２の１２は、出力コードでダイナモより発電された電気を取り出し、外部の電気用器具に使用させようとするものである。
【０００７】
【考案の効果】
例えば現在ある発電機類は、一定回転力により電力を生むことができる。それには、回転に要するエネルギーが必要である。
本考案は、一定量の電力を出すことについて、何ら変わりはないが、入力の仕方に着目をしてもらいたいのである。つまり、新しい発想として、一定速度の回転で公転を続けることにより自転が増速をして行くことを発見したのである。身近で言えば地球の公転と自転の学説を意味していると言って良いと思う。自転のみに頼って出力をしていた発想を公転を利用することにより増速するその仕組みで効率の良いエネルギーを得ようとするものである。
【図面の簡単な説明】
【図１】図１は、左右側面図を現している。
【図２】図２は、正面図であるが、断面を現している。
【符号の説明】
１．外枠公転用軸受板（左右）
２．公転に要する軸受穴
３．外枠公転用軸受断面図
４．公転軸
５．公転用枠組み
６．自転軸
７．公転の伝達に要する大、小、プーリ
８．発電用ダイナモ
９．自転用フライホイル
１０．モーター
１１．バッテリー
１２．出力コード
【図１】
0003100942.tif 000003
【図２】
0003100942.tif 000004
【手続補正書】
【提出日】平成14年11月25日(2002.11.25)
【手続補正１】
【補正対象書類名】明細書
【補正対象項目名】全文
【補正方法】変更
【補正の内容】
【実用新案登録請求の範囲】
【請求項１】両端に公転用の軸受と、リング上の角度をもった溝を設け、自転用のフライホイル軸を組み込み、公転により自転させた回転球に発電に要するダイナモを取り付けた、公転により自転させ発電する装置である。
【請求項２】公転用枠組内の両端にリング上の角度をもった溝を設け、自転用のフライホイルを組み込み、公転により自転させた回転球に発電に要するダイナモを取り付けた、公転により自転させ発電する装置である。
【考案の詳細な説明】
【０００１】
【考案の属する技術分野】
自転をするフライホイルに加速をつけ公転をさせることにより、公転の回転運動より自転ははるかに速い回転運動を行う、さらに増速することを利用し、電力を取り出す方法を考案したものである。
【０００２】
【従来の技術】
今までの知識の中で従来の技術及び物理的な発見することが出来なかったものである。
【０００３】
【考案が解決しようとする課題】
少量の公転に要するエネルギーで自転を増加させ、自転の回転を利用し効率の良い電力を取り出すことを目的とするものである。
【０００４】
【課題を解決するための手段】
両端のリング上に角度をもった溝を円型に設け軸を取り付ける、その軸は両端の溝の中におさまり斜めに取り付くことになる。その軸にはフライホイルを取り付け、そのフライホイルに速力をつけ回転させる。すると軸はリングの溝をちょうど自転車のペダルを踏むような格好で円型溝をかけめぐるようになる。但しその時から回りの自転を行ないながら公転するのである。やがて、溝の中を回転軸は、転がり運動、点摩擦、こまの原理で、速力を増し高速回転となる。又、遠心力を少なくするためにフライホイルを２分割し逆回転の方法をとると公転に要するエネルギーが少量ですむ発見もした。このことを応用し、フライホイルと軸に発電をする器具を取り付け、電力を取り出すことができる。公転をしている限りにおいて自転は増速をするが、力を取り出すことにより減速は多少それに応じてするが、しかしながら公転にエネルギーが必要なのは言うまでもないが、効率の良いエネルギーを取り出したいと考案したものである。
【０００５】
【考案の実施の形態】
まず図面によって説明する。
まず、図１について説明すると、図１は左右の側面図と正面部の断面を現しているものである。
図１の１はリング上に２の角度をもった溝が円形に仕組まれている。３は、後に示す公転に要する軸受けである。正面断面図の１は、リング上で２の角度をもった溝であり、３は公転に要する軸受穴で４は軸が入った状態を示す軸になっている。
図２は、図１の左右側面を組立て、その中にフライホイル等を取り付けた状態の図である。それを図によって説明すると、図２、１は外枠となるリングで、２の円型の溝をほった断面の状態で、３は公転用枠組みの主軸の受け皿である。４は、フライホイルを回すための軸で、５のフライホイルを取り付ける。６は、４の軸がずれないように固定をする働きと、４の軸を公転に導く作業をする枠組みである。７は、フライホイルにダイナモを取り付けた断面である。ダイナモについては、一般に知られているもので説明を省く。８は、フライホイルを逆転させる一方法で、両端のフライホイルの連結と回転を促す。９は、ダイナモより出る電気の出力のコードを示す。１０は公転をさせる為の伝達方法で、１１のモーターより入力、その力は１２のバッテリーにより行うものである。
以上簡単な図の説明をしてきたが、その運用方法の実態を次に現す。
【０００６】
【実施例】
まず、初めに図２の５に示すフライホイルを手動又は電動によって回転をさせる。その回転を図２の８の逆回転装置によって、左右に回転をはじめる。回転速度の頃合いをもって図２の、１２のバッテリーより１１のモーターへと入力電流が流れ、１０の公転用プーリを回転させる。すると、図２の、５のフライホイルは自転、つまりはじめにフライホイルに回転を与えた力を持続しながら公転をはじめる。公転をはじめだすと、図２の、２公転溝を自転しながら公転する。つまり公転をさせると言うことは溝を図２の、４が点摩擦を行いながら、転がり運動により増速をするである。それはやがて高速回転となる。
フライホイルは、空回りをしながら、溝をかけめぐる形になる。その比率は一例ではあるが公転が、１分間２００回転の時、自転は約１万回以上となりさらにそのままの回転を続けさせると止めどもなく増速をしていくことになる。
回転の頃合いをみてダイナモに仕組んだストッパーにより発電の開始をはじめ、９の出力コードにより電気を発し外部へと流れる仕組みであるが、そこで電気抵抗がおこってくるのだが、自転と公転の力加減によりその抵抗をクリヤーしなければ成り立たないのは言うまでもなく、自転軸を公転させると言う発想の中で分岐点を設け発電をさせようとするものである。
【０００７】
【考案の効果】
例えば現在ある発電機類は、一定回転力により電力を生むことができる。それには、回転に要するエネルギーが必要となる。
本考案は、一定量の電力を出すことについては、何ら変わりはないが、入力の仕方に着目をしてもらいたいのである。つまり、新しい発想のもと軸を回転させながら、さらに公転することにより増速していくことを発見したのである。身近で言えば地球の自転と公転の学説を意味していると言って良いと思う。自転のみに頼って出力をしていた発想を公転を利用することにより増速するその仕組みで効率の良いエネルギーを得ようとするものである。
【図面の簡単な説明】
【図１】図１は、左右側面図と正面断面図を現している。
【図２】図２は、正面図であるが、断面を現している。
【符号の説明】
１．外枠リング
２．角度をもった公転用、円型溝
３．公転に要する軸受け穴
４．自転用軸
５．フライホイル
６．公転用枠組み
７．ダイナモ
８．逆回転装置
９．出力コード
１０．公転用伝達に要する大・小プーリ
１１．モーター
１２．バッテリー


【手続補正２】
【補正対象書類名】図面
【補正対象項目名】全図
【補正方法】変更
【補正の内容】
【図１】
0003100942.tif 000005
【図２】
0003100942.tif 000006
【手続補正書】
【提出日】平成15年3月4日(2003.3.4)
【手続補正１】
【補正対象書類名】明細書
【補正対象項目名】実用新案登録請求の範囲
【補正方法】変更
【補正の内容】
【実用新案登録請求の範囲】
【請求項１】
両端のリング上に角度をもって溝を設け、はずみ車を取り付けた軸を組込み、自転と公転により回転をする回転球に発電に要するダイナモを取り付けたもの。
【請求項２】
両端のリング上に角度をもって溝を設け、２ケのはずみ車を逆回転する方法を組込み、自転と公転によりはずみ車が異なる運動をする回転球に発電を用するダイナモを取り付けたもの。
【手続補正書】
【提出日】平成15年5月26日(2003.5.26)
【手続補正１】
【補正対象書類名】明細書
【補正対象項目名】全文
【補正方法】変更
【補正の内容】
【実用新案登録請求の範囲】
【請求項１】両端に公転用の軸受と、リング上の角度をもった溝を設け、自転用のフライホイル軸を組み込み、公転により自転させた回転球に発電に要するダイナモを取り付けた、公転により自転させ発電する装置である。
【請求項２】公転用枠組内の両端にリング上の角度をもった溝を設け、自転用のフライホイルを組み込み、公転により自転させた回転球に発電に要するダイナモを取り付けた、公転により自転させ発電する装置である。
【考案の詳細な説明】
【０００１】
【考案の属する技術分野】
自転をするフライホイルに加速をつけ公転をさせることにより、公転の回転運動より自転ははるかに速い回転運動を行う、さらに増速することを利用し、電力を取り出す方法を考案したものである。
【０００２】
【従来の技術】
今までの知識の中で従来の技術及び物理的な発見することが出来なかったものである。
【０００３】
【考案が解決しようとする課題】
少量の公転に要するエネルギーで自転を増加させ、自転の回転を利用し効率の良い電力を取り出すことを目的とするものである。
【０００４】
【課題を解決するための手段】
両端のリング上に角度をもった溝を円型に設け軸を取り付ける、その軸は両端の溝の中におさまり斜めに取り付くことになる。その軸にはフライホイルを取り付け、そのフライホイルに速力をつけ回転させる。すると軸はリングの溝をちょうど自転車のペダルを踏むような格好で円型溝をかけめぐるようになる。但しその時から回りの自転を行ないながら公転するのである。やがて、溝の中を回転軸は、転がり運動、点摩擦、こまの原理で、速力を増し高速回転となる。又、遠心力を少なくするためにフライホイルを２分割し逆回転の方法をとると公転に要するエネルギーが少量ですむ発見もした。このことを応用し、フライホイルと軸に発電をする器具を取り付け、電力を取り出すことができる。公転をしている限りにおいて自転は増速をするが、力を取り出すことにより減速は多少それに応じてするが、しかしながら公転にエネルギーが必要なのは言うまでもないが、効率の良いエネルギーを取り出したいと考案したものである。
【０００５】
【考案の実施の形態】
まず図面によって説明する。
まず、図１について説明すると、図１は左右の側面図と正面部の断面を現しているものである。
図１の１はリング上に２の角度をもった溝が円形に仕組まれている。３は、後に示す公転に要する軸受けである。正面断面図の１は、リング上で２の角度をもった溝であり、３は公転に要する軸受穴で４は軸が入った状態を示す軸になっている。
図２は、図１の左右側面を組立て、その中にフライホイル等を取り付けた状態の図である。それを図によって説明すると、図２、１は外枠となるリングで、２の円型の溝をほった断面の状態で、３は公転用枠組みの主軸の受け皿である。４は、フライホイルを回すための軸で、５のフライホイルを取り付ける。６は、４の軸がずれないように固定をする働きと、４の軸を公転に導く作業をする枠組みである。７は、フライホイルにダイナモを取り付けた断面である。ダイナモについては、一般に知られているもので説明を省く。８は、フライホイルを逆転させる一方法で、両端のフライホイルの連結と回転を促す。９は、ダイナモより出る電気の出力のコードを示す。１０は公転をさせる為の伝達方法で、１１のモーターより入力、その力は１２のバッテリーにより行うものである。
以上簡単な図の説明をしてきたが、その運用方法の実態を次に現す。
【０００６】
【実施例】
まず、初めに図２の５に示すフライホイルを手動又は電動によって回転をさせる。その回転を図２の８の逆回転装置によって、左右に回転をはじめる。回転速度の頃合いをもって図２の、１２のバッテリーより１１のモーターへと入力電流が流れ、１０の公転用プーリを回転させる。すると、図２の、５のフライホイルは自転、つまりはじめにフライホイルに回転を与えた力を持続しながら公転をはじめる。公転をはじめだすと、図２の、２公転溝を自転しながら公転する。つまり公転をさせると言うことは溝を図２の、４が点摩擦を行いながら、転がり運動により増速をするである。それはやがて高速回転となる。
フライホイルは、空回りをしながら、溝をかけめぐる形になる。その比率は一例ではあるが公転が、１分間２００回転の時、自転は約１万回以上となりさらにそのままの回転を続けさせると止めどもなく増速をしていくことになる。
回転の頃合いをみてダイナモに仕組んだストッパーにより発電の開始をはじめ、９の出力コードにより電気を発し外部へと流れる仕組みであるが、そこで電気抵抗がおこってくるのだが、自転と公転の力加減によりその抵抗をクリヤーしなければ成り立たないのは言うまでもなく、自転軸を公転させると言う発想の中で分岐点を設け発電をさせようとするものである。
【０００７】
【考案の効果】
例えば現在ある発電機類は、一定回転力により電力を生むことができる。それには、回転に要するエネルギーが必要となる。
本考案は、一定量の電力を出すことについては、何ら変わりはないが、入力の仕方に着目をしてもらいたいのである。つまり、新しい発想のもと軸を回転させながら、さらに公転することにより増速していくことを発見したのである。身近で言えば地球の自転と公転の学説を意味していると言って良いと思う。自転のみに頼って出力をしていた発想を公転を利用することにより増速するその仕組みで効率の良いエネルギーを得ようとするものである。
【図面の簡単な説明】
【図１】
図１は、左右側面図を現している。
【図２】
図２は、正面図であるが、断面を現している。
【符号の説明】
「図１」
１．外枠リング
２．角度をもった円形溝
３．公転に要する軸受け
１  外枠リング断面図
２  角度をもった円形溝の断面図
３  公転に要する軸受けの断面図
「図２」
１．外枠リング
２．公転に要する円形溝
３．軸受け穴
４．自転用軸
５．フライホイル
６．公転用枠組み
７．ダイナモ
８．逆回転装置
９．出力コード
１０．公転用伝達に要する大・小プーリ
１１．モーター
１２．バッテリー


【手続補正２】
【補正対象書類名】図面
【補正対象項目名】全図
【補正方法】変更
【補正の内容】
【図１】
0003100942.tif 000007
【図２】
0003100942.tif 000008
【手続補正書】
【提出日】平成15年8月11日(2003.8.11)
【手続補正１】
【補正対象書類名】明細書
【補正対象項目名】実用新案登録請求の範囲
【補正方法】変更
【補正の内容】
【実用新案登録請求の範囲】
【請求項１】
両端の外枠内に公転用軸受け穴とリング上の角度をもった自転用軸受け溝を設け、自転用軸にフライホイルを取り付け、公転用枠に組み込んだものを両端の外枠内に組み込み、公転回転により自転回転させた回転球に発電に要するダイナモを取り付けた公転により自転させた回転から発電させる装置である。
【請求項２】
公転回転１回転で、自転回転を２０回転から３０回転に増速させた自転回転球に発電用ダイナモを取り付け発電させる装置である。
【手続補正２】
【補正対象書類名】明細書
【補正対象項目名】符号の説明
【補正方法】変更
【補正の内容】
【符号の説明】
１．左右の外枠
２．角度をもった円形溝
３．公転に要する軸受け穴
４．自転用軸
５．自転用フライホイル
６．公転用枠組
７．発電用ダイナモ
８．逆回転装置
９．電力出力コード
１０．公転用大、小プーリ
１１．公転用モーター
１２．バッテリー




【手続補正書】
【提出日】平成15年10月23日(2003.10.23)
【手続補正１】
【補正対象書類名】明細書
【補正対象項目名】請求項２
【補正方法】変更
【補正の内容】
【請求項２】
公転１回転の力で自転を３０回転させた自転軸に発電用ダイナモを取り付
けて効率の良い電力を取り出すことを特徴とする、請求項１記載の公転により自転させ発
電する装置の考案したものである。